(57)【要約】【課題】本発明は、レンズ保持枠を高精度に移動できるとともに、衝撃力に対して強く、しかも、カムフォロアとカム溝とが過拘束になるおそれが少ないレンズ鏡筒の提供を目的とする。【解決手段】第１及び第２レンズ保持枠３１、３２と、第１及び第２レンズ保持枠３１、３２の外周に保持された保持枠用カムフォロア４と、保持枠用カムフォロア４の先端部と係合した複数の保持枠用カム溝２１、２２を有するカム筒２とを備える。第１及び第２レンズ保持枠３１、３２は、それぞれ、１つのメインカムフォロア保持部７ａ、８ａと２つのサブカムフォロア保持部７ｂ、８ｂとを備える。メインカムフォロア保持部７ａ、８ａは、保持枠用カムフォロア４の基端部とコイルバネ７１ｂ、８１とを収納し、サブカムフォロア保持部７ｂ、８ｂは保持枠用カムフォロア４の基端部のみ収納する。【選択図】図１
2014048450.tif 000002
【特許請求の範囲】
【請求項１】
ガイド軸に移動可能に支持されレンズ群を保持するレンズ保持枠と、レンズ保持枠の外周に保持された保持枠用カムフォロアと、前記保持枠用カムフォロアと係合した回転可能なカム筒とを備え、前記カム筒の回転に伴い前記レンズ保持枠が前記ガイド軸に沿って光軸方向に移動するレンズ鏡筒であって、
前記カム筒は、前記保持枠用カムフォロアの先端部と相対移動可能に係合する複数の保持枠用カム溝を備え、
前記レンズ保持枠は、１つのメインカムフォロア保持部と、１つ又は複数のサブカムフォロア保持部とを備え、
前記メインカムフォロア保持部は、前記保持枠用カムフォロアの先端部が付勢部材によって前記複数の内のいずれか１つの保持枠用カム溝内を前記いずれか１つの保持枠用カム溝の内側面と常時当接状態で相対移動できるように前記保持枠用カムフォロアを保持し、
前記サブカムフォロア保持部は、前記保持枠用カムフォロアの先端部が前記いずれか１つ以外の他の保持枠用カム溝内を前記他の保持枠用カム溝の内側面と非当接状態で相対移動できるように前記保持枠用カムフォロアを保持し、
このサブカムフォロア保持部は、前記メインカムフォロア保持部と異なる角度位相位置に配設された第１サブカムフォロア保持部を備えていることを特徴とするレンズ鏡筒。
【請求項２】
前記メインカムフォロア保持部とサブカムフォロア保持部とは、それぞれ、前記ガイド軸に支持されるメイン被支持部とサブ被支持部とを備え、
前記メイン被支持部は、軸方向の長さが前記サブ被支持部よりも長くなるように構成され、
前記メインカムフォロア保持部は、前記メイン被支持部との周方向の距離が前記サブ被支持部との周方向の距離よりも短くなる位置に配置されていることを特徴とする請求項１記載のレンズ鏡筒。
【請求項３】
前記サブカムフォロア保持部は、前記メインカムフォロア保持部と前記レンズ保持枠の軸方向に並べられるように配設された第２サブカムフォロア保持部を備えていることを特徴とする請求項１又は２に記載のレンズ鏡筒。
【請求項４】
前記保持枠用カム溝は、その溝幅が径方向外側に漸次狭くなるように形成され、
前記保持枠用カムフォロアの先端部は、先端に行くに従い漸次径小になるように形成され、
前記メインカムフォロア保持部は、前記保持枠用カムフォロアを径方向に移動可能に保持し、
前記付勢部材は、前記カムフォロア収納部に保持された保持枠用カムフォロアを径方向外側に付勢していることを特徴とする請求項１〜３のいずれか一項に記載のレンズ鏡筒。
【請求項５】
前記レンズ保持枠は、前記光軸方向に沿って並べられた第１レンズ保持枠と第２レンズ保持枠とを備え、
前記ガイド軸は、第１ガイド軸と、第２ガイド軸とを備え、
前記第１ガイド軸は、前記第１レンズ保持枠のメイン被支持部を支持するとともに、前記第２レンズ保持枠のサブ被支持部を支持し、
前記第２ガイド軸は、前記第１レンズ保持枠のサブ被支持部を支持するとともに、前記第２レンズ保持枠のメイン被支持部を支持していることを特徴とする請求項２〜４のいずれか一項に記載のレンズ鏡筒。
【発明の詳細な説明】
【技術分野】
【０００１】
本発明は、スチールカメラやビデオカメラ等に用いられるレンズ鏡筒に関するものである。
【背景技術】
【０００２】
従来から、スチールカメラやビデオカメラ等に用いられるレンズ鏡筒は広く知られている。例えば特許文献１に、ガイド軸に軸方向移動可能に支持されレンズ群を保持したレンズ保持枠と、このレンズ保持枠の外周に保持された１個のカムフォロアと、レンズ保持枠を付勢する圧縮コイルバネとを備え、圧縮コイルバネによってレンズ保持枠をガイド軸の軸方向の一方向に付勢することによって、カムフォロアの先端部が受容されるカム筒のカム溝の内側面に押し付け両者間にガタが生じないようにしてレンズ保持枠を高精度に移動できるようにしたレンズ鏡筒が開示されている。
【０００３】
しかし、特許文献１に開示のレンズ鏡筒は、カムフォロアが１個から構成されているため、例えばレンズ保持枠に外部から衝撃力がかかると、ガイド軸が撓んでカムフォロアの先端部が係合したカム筒のカム溝から外れる場合がある。
【０００４】
一方、例えば特許文献２に、ガイド軸に軸方向移動可能に支持されたレンズ保持枠の外周における周方向に沿って設けられた同構成の３個のカムフォロアと、３個のカムフォロアのそれぞれと係合した同構成の３個のカム溝を有するカム筒とを備え、例えばレンズ保持枠に衝撃力がかかった場合でも、カムフォロアの先端部がカム筒のカム溝から外れ難いレンズ鏡筒が開示されている。
【先行技術文献】
【特許文献】
【０００５】
【特許文献１】特開平０５−２４１０５９号公報
【特許文献２】特開２０１２−７３３０７号公報
【発明の概要】
【発明が解決しようとする課題】
【０００６】
しかしながら、特許文献２に開示のレンズ鏡筒のように、同構成の３個のカムフォロアのそれぞれを同構成の３個のカム溝のそれぞれに係合させると、製作誤差等によってカムフォロアとカム溝とが過拘束になる場合がある。そのようにカムフォロアとカム溝とが過拘束になると、全部のカムフォロアがカム溝に入り難くなって係合し難くなるとともに、係合できた場合でもカムフォロアのそれぞれの先端部が係合したカム溝を円滑に相対移動し難くなってしまうという問題点がある。
【０００７】
本発明は、レンズ保持枠を高精度に移動できるとともに、衝撃力に対して強く、しかも、カムフォロアとカム溝とが過拘束になるおそれが少ないレンズ鏡筒の提供を目的とする。
【課題を解決するための手段】
【０００８】
上記課題を解決するため、本発明のレンズ鏡筒は、ガイド軸に移動可能に支持されレンズ群を保持するレンズ保持枠と、レンズ保持枠の外周に保持された保持枠用カムフォロアと、前記保持枠用カムフォロアと係合した回転可能なカム筒とを備え、前記カム筒の回転に伴い前記レンズ保持枠が前記ガイド軸に沿って光軸方向に移動するレンズ鏡筒であって、前記カム筒は、前記保持枠用カムフォロアの先端部と相対移動可能に係合する複数の保持枠用カム溝を備え、前記レンズ保持枠は、１つのメインカムフォロア保持部と、１つ又は複数のサブカムフォロア保持部とを備え、前記メインカムフォロア保持部は、前記保持枠用カムフォロアが付勢部材によって前記複数の内のいずれか１つの保持枠用カム溝内を前記いずれか１つの保持枠用カム溝の内側面と常時当接状態で相対移動できるように前記保持枠用カムフォロアを保持し、前記サブカムフォロア保持部は、前記保持枠用カムフォロアが前記いずれか１つ以外の他の保持枠用カム溝内を前記他の保持枠用カム溝の内側面と非当接状態で相対移動できるように前記保持枠用カムフォロアを保持し、このサブカムフォロア保持部は、前記メインカムフォロア保持部と異なる角度位相位置に配設された第１サブカムフォロア保持部を備えていることを特徴とする。
【０００９】
この構成によれば、メインカムフォロア保持部は、保持枠用カムフォロアの先端部が常時当接状態で相対移動できるように前記保持枠用カムフォロアを保持しているため、その保持枠用カムフォロアの先端部と保持枠用カム溝との両者間にガタが生じることがなく、レンズ保持枠をガイド軸に沿って光軸方向に高精度に移動させることができる。
【００１０】
又、例えばレンズ保持枠に外部から衝撃力がかかってガイド軸が撓もうとするとサブカムフォロア保持部に保持された保持枠用カムフォロアの先端部が保持枠用カム溝の内側面に当接してレンズ保持枠にかかる力を受けることができ、ガイド軸が撓むのを抑えることができる。これにより、レンズ保持枠に衝撃力がかかったような場合でも保持枠用カムフォロアの先端部が保持枠用カム溝から外れてしまうようなことを防止でき、衝撃力に対して強いものにできる。
【００１１】
一方、サブカムフォロア保持部に保持された保持枠用カムフォロアはその先端部と保持枠用カム溝の内側面と非当接状態で相対移動できるように保持枠用カム溝内に配置されているため、サブカムフォロア保持部に保持された保持枠用カムフォロアによって過拘束になるようなことを防止できる。これにより、メインカムフォロア保持部及びサブカムフォロア保持部のそれぞれに保持された保持枠用カムフォロアを、保持枠用カム溝内に容易に組み入れることができるとともに、円滑に相対移動させることができる。
【００１２】
他の一態様では、前記レンズ鏡筒において、前記メインカムフォロア保持部とサブカムフォロア保持部とは、それぞれ、前記ガイド軸に支持されるメイン被支持部とサブ被支持部とを備え、前記メイン被支持部は、軸方向の長さが前記サブ被支持部よりも長くなるように構成され、前記メインカムフォロア保持部は、前記メイン被支持部との周方向の距離が前記サブ被支持部との周方向の距離よりも短くなる位置に配置されていることを特徴とする。
【００１３】
この構成によれば、メインカムフォロア保持部はメイン被支持部との周方向の距離がサブ被支持部とのその距離よりも短くなるように配置されているため、メインカムフォロア保持部に保持された保持枠用カムフォロアがメイン被支持部に対して製作誤差等による位置ずれを抑えることができ、レンズ保持枠を、より高精度にガイド軸に沿って光軸方向に移動させることができる。
【００１４】
他の一態様では、前述のいずれかのレンズ鏡筒において、前記サブカムフォロア保持部は、前記メインカムフォロア保持部と前記レンズ保持枠の軸方向に並べられるように配設された第２サブカムフォロア保持部を備えていることを特徴とする。
【００１５】
この構成によれば、例えばレンズ保持枠に外部から衝撃力がかかってガイド軸が撓もうとすると、第２サブ保持枠用カムフォロアの先端部がサブ保持枠用カム溝の内側面に押し当てられてレンズ保持枠にかかる力を軸方向にも分担して受けることができ、ガイド軸が撓むことを、より一層確実に抑えることができる。これにより、レンズ保持枠に衝撃力がかかったような場合でもカムフォロアがカム溝から外れてしまうようなことを、より一層確実に防止できる。
【００１６】
他の一態様では、前述のいずれかのレンズ鏡筒において、前記保持枠用カム溝は、その溝幅が径方向外側に漸次狭くなるように形成され、前記保持枠用カムフォロアの先端部は、先端に行くに従い漸次径小になるように形成され、前記メインカムフォロア保持部は、前記保持枠用カムフォロアを径方向に移動可能に収納したカムフォロア収納部と、前記カムフォロア収納部に収納した保持枠用カムフォロアを径方向外側に付勢した付勢部材とを備えていることを特徴とする。
【００１７】
この構成によれば、メインカムフォロア保持部に保持された保持枠用カムフォロアの先端部が保持枠用カム溝の内側面に容易に押し付けた状態にでき、製作容易なものにできる。
【００１８】
他の一態様では、前述のいずれかのレンズ鏡筒において、前記レンズ保持枠は、前記光軸方向に沿って並べられた第１レンズ保持枠と第２レンズ保持枠とを備え、前記ガイド軸は、第１ガイド軸と、第２ガイド軸とを備え、前記第１ガイド軸は、前記第１レンズ保持枠のメイン被支持部を支持するとともに、前記第２レンズ保持枠のサブ被支持部を支持し、前記第２ガイド軸は、前記第１レンズ保持枠のサブ被支持部を支持するとともに、前記第２レンズ保持枠のメイン被支持部を支持していることを特徴とする。
【００１９】
この構成によれば、第１ガイド軸は、第１レンズ保持枠のメイン被支持部を支持するメインガイド軸として機能するとともに、第２レンズ保持枠のサブ被支持部を支持するサブガイド軸として機能することができる。又、第２ガイド軸は、第１レンズ保持枠のサブ被支持部を支持するサブガイド軸として機能するとともに、第２レンズ保持枠のメイン被支持部を支持するメインガイド軸として機能することができる。
【００２０】
従って、第１ガイド軸と第２ガイド軸とをそれぞれ、第１レンズ保持枠と第２レンズ保持枠とで共用でき、構造を簡素化できるとともに、低コストで製作できる。
【発明の効果】
【００２１】
本発明のレンズ鏡筒は、レンズ保持枠を高精度に移動できるとともに、衝撃力に対して強く、しかも、カムフォロアとカム溝とが過拘束になるおそれが少ない。
【図面の簡単な説明】
【００２２】
【図１】本発明のレンズ鏡筒の一実施形態の断面図である。
【図２】図１の要部の分解斜視図である。
【図３】図１のＩＩＩ−ＩＩＩ線拡大断面図である。
【図４】図１のＩＶ−ＩＶ線拡大断面図である。
【図５】図１の要部の拡大図である。
【図６】図１で示したレンズ鏡筒に用いられるカム筒の拡大した斜視図である。
【図７】カム筒の内周面を展開状態にして表した説明図である。
【図８】図１で示したレンズ鏡筒に用いられる第１レンズ保持枠の拡大斜視図である。
【図９】（ａ）は、図１で示したレンズ鏡筒に用いられる保持枠用カムフォロアを組み付けた状態の第１レンズ保持枠の前方側から見た斜視図、（ｂ）は、その正面図、（ｃ）は、その後方側から見た斜視図である。
【図１０】（ａ）は、図１で示したレンズ鏡筒に用いられるガイド軸に支持された状態の第１レンズ保持枠の前方側から見た斜視図、（ｂ）は、その正面図、（ｃ）は、その後方側から見た斜視図である。
【図１１】図１で示したレンズ鏡筒に用いられる第２レンズ保持枠の拡大斜視図である。
【図１２】（ａ）は、第１レンズ保持枠と第２レンズ保持枠との非当接状態の前方側から見た斜視図、（ｂ）は、その非当接状態の後方側から見た斜視図である。
【図１３】（ａ）は、第１レンズ保持枠と第２レンズ保持枠との当接状態の側面図、（ｂ）は、その前方側から見た斜視図、（ｃ）は、図１３（ｂ）と異なる角度の前方側から見た斜視図である。
【図１４】図１で示したレンズ鏡筒に用いられる遮光部材の斜視図である。
【図１５】遮光部材、第１レンズ保持枠及び第２レンズ保持枠がそれぞれ導入溝に入った状態の断面図である。
【図１６】図１５の状態から、カム筒の回転によって遮光部材、第１レンズ保持枠及び第２レンズ保持枠がそれぞれ前方側に移動した状態の断面図である。
【図１７】遮光部材と第１レンズ保持枠と第２レンズ保持枠とのそれぞれの移動軌跡を表した説明図である。
【図１８】保持枠用カム溝の他の実施形態の要部の拡大図である。
【図１９】第１レンズ保持枠の他の実施形態の拡大した斜視図である。
【発明を実施するための形態】
【００２３】
以下、本発明を実施するための形態について、図面を参照しながら詳細に説明する。図１は、本発明のレンズ鏡筒の一実施の形態の断面図、図２は、図１の要部の分解斜視図、図３は、図１のＩＩＩ−ＩＩＩ線拡大断面図である。又、図４は、図１のＩＶ−ＩＶ線拡大断面図、図５は、図１の要部の拡大図、図６は、カム筒の拡大した斜視図である。尚、図１、図２、図５〜図２０のＸ方向を前方側とし、Ｙ方向を後方側として説明する。
【００２４】
本実施形態のレンズ鏡筒１０は、鏡筒本体１と、カム筒２と、第１レンズ保持枠３１〜第７レンズ保持枠３７と、第１レンズ保持枠３１及び第２レンズ保持枠３２に保持された保持枠用カムフォロア４と、遮光部材５と、遮光部材５に保持された遮光部材用カムフォロア６とを備えている。
【００２５】
鏡筒本体１は、内部に、円筒状の固定筒１１と、固定筒１１の内周側に配設されたガイド軸１２ａ、１２ｂとを備えている。固定筒１１の軸心は、光軸Ｏに一致するように設定されている。
【００２６】
ガイド軸１２ａ、１２ｂは、この実施形態では、第１ガイド軸１２ａと、第１ガイド軸１２ａと固定筒１１の周方向に距離をもって配設された第２ガイド軸１２ｂとを備えている。これらの第１ガイド軸１２ａ及び第２ガイド軸１２ｂは、同構成を採っており、それぞれは、軸方向が光軸Ｏの方向に沿って延ばされようにして固定筒１１に固定的に保持されている。
【００２７】
又、鏡筒本体１は、固定筒１１の外周側に、固定筒１１に対して回転自在に配設された円筒状のカム操作環１５を備えている。又、鏡筒本体１は、後端側（像側）に、マウント１３を備え、このマウント１３を介して、図示しないカメラ本体に装着される。尚、この実施形態では、鏡筒本体１の前端側（物体側）に、筒状のフード１４が着脱自在に取り付けられている。
【００２８】
カム筒２は、図６に示すように、円筒体からなる。このカム筒２は、その内周面に、その内周面から径方向外側に所定の深さでカットされて所定の方向に沿って凹まされるように形成された長溝状のカム溝２１〜２４を備えている。
【００２９】
この実施形態のカム溝は、図７に示すように保持枠用カム溝２１、２２と、遮光部材用カム溝２３と、組み込み用溝２４とを備えている。この実施形態では、保持枠用カム溝２１、２２と遮光部材用カム溝２３と組み込み用溝２４とは、カム筒２の内周面に、周方向（Ｚ−Ｗ方向）に３つずつ配設されている。
【００３０】
各保持枠用カム溝は、第１保持枠用カム溝２１と、第２保持枠用カム溝２２との２つから構成されている。又、第１保持枠用カム溝２１は、保持枠用カムフォロア４の先端部が撮影時に相対移動する第１カム溝用撮影領域溝２１ａと、第１カム溝用撮影領域溝２１ａの始端側（一方端側）に配設された第１カム溝用導入溝２１ｂとを備えている。
【００３１】
これらの第１カム溝用撮影領域溝２１ａ及び第１カム溝用導入溝２１ｂは、図３〜図５に示すように径方向外側に漸次幅狭になる断面台形状に形成されている。
【００３２】
第２保持枠用カム溝２２は、図７に示すように、第１保持枠用カム溝２１と同様に、後述の保持枠用カムフォロア４の先端部が撮影時に相対移動する第２カム溝用撮影領域溝２２ａと、第２カム溝用撮影領域溝２２ａの始端側に配設された第２カム溝用導入溝２２ｂとを備えている。
【００３３】
又、この第２カム溝用導入溝２２ｂは、幅広部２２ｃと、幅広部２２ｃと第２カム溝用撮影領域溝２２ａとの間に配設されたテーパー部２２ｄとを備えている。
【００３４】
幅広部２２ｃは、溝幅が第２カム溝用撮影領域溝２２ａの溝幅より広く形成されている。テーパー部２２ｄは、幅広部２２ｃから第２カム溝用撮影領域溝２２ａにかけて漸次溝幅が狭くなるように形成されている。
【００３５】
各遮光部材用カム溝２３は、遮光部材用カムフォロア６の先端部が撮影時に相対移動する遮光部材用撮影領域溝２３ａと、遮光部材用撮影領域溝２３ａの始端側に配設された遮光部材用導入溝２３ｂとを備えている。
【００３６】
遮光部材用撮影領域溝２３ａは、その始端から終端に向かうに従い、第１保持枠用カム溝２１の第２カム溝用撮影領域溝２２ａとのカム筒２の軸方向（前後方向、図のＸ−Ｙ方向）の距離が変化するように形成されている。
【００３７】
詳しくは、遮光部材用撮影領域溝２３ａと第２カム溝用撮影領域溝２２ａとの互いの長手方向の中間部で軸方向の距離Ｌ１１が最大になり、互いの長手方向の端部同士の軸方向の距離Ｌ１２、Ｌ１３が前記距離Ｌ１１より小さくなっている。
【００３８】
又、これらの遮光部材用撮影領域溝２３ａ及び遮光部材用導入溝２３ｂも、図３、図５に示すように径方向外側に漸次幅狭になる台形状に形成されている。又、遮光部材用撮影領域溝２３ａ及び遮光部材用導入溝２３ｂは、第１保持枠用カム溝２１よりも幅狭に形成されている。
【００３９】
組み込み用溝２４は、保持枠用組み込み溝２４ａと、遮光部材用組み込み溝２４ｂとを備えている。
【００４０】
保持枠用組み込み用溝２４ａは、カム筒２の後端面２ａに開口２４ｃを備えている。そして、保持枠用組み込み溝２４ａは、開口２４ｃからカム筒２の軸方向に延ばされ、第２保持枠用カム溝２２の第２カム溝用導入溝２２ｂ及び第１保持枠用カム溝２１の第１カム溝用導入溝２１ｂと連通している。
【００４１】
また、この保持枠用組み込み溝２４ａの溝幅は、第１保持枠用カム溝２１の第１カム溝用導入溝２１ｂの溝幅と同程度に設定されている。
【００４２】
遮光部材用組み込み溝２４ｂは、保持枠用組み込み溝２４ａから遮光部材用導入溝２３ｂまで軸方向に延ばされ、遮光部材用カム溝２３の遮光部材用導入溝２３ｂと連通している。
【００４３】
この遮光部材用組み込み溝２４ｂの溝幅は、保持枠用組み込み溝２４ａの溝幅よりも狭く、保持枠用カムフォロア４が入り込めないように形成されている。
【００４４】
このように構成されたカム筒２は、図１に示すように固定筒１１の内周側であって、ガイド軸１２ａ、１２ｂの径方向外側に、固定筒１１に対して回転自在に配設されている。又、カム筒２は、カム操作環１５と連動ピン１６によって回転不能に連結され、カム操作環１５の回転操作によってカム筒２が共に回転するようになっている。
【００４５】
次に、レンズ保持枠３１〜３７について説明する。レンズ保持枠は、レンズ群１００を保持するもので、この実施形態では、第１レンズ保持枠３１〜第７レンズ保持枠３７までの７つを備えている。尚、第１レンズ保持枠３１〜第７レンズ保持枠３７に保持されるレンズ群１００は、１又は複数のレンズを有する。
【００４６】
第１レンズ保持枠３１は、図８に示すように、略円筒状のものから構成され、内周側にレンズ群１００を保持するレンズ保持部３１ｆを備えている。
【００４７】
又、第１レンズ保持枠３１は、図３に示すように、その外周側に、保持枠用カムフォロア４を保持するカムフォロア保持部７ａ、７ｂを備えている。
【００４８】
カムフォロア保持部は、１つのメインカムフォロア保持部７ａと、メインカムフォロア保持部７ａと異なる角度位相位置、即ちメインカムフォロア保持部７ａと周方向に距離を隔てた位置に配設された２つのサブカムフォロア保持部（第１サブカムフォロア保持部）７ｂとを備えている。この実施形態では、カムフォロア保持部は、
１つのメインカムフォロア保持部７ａと２つのサブカムフォロア保持部７ｂとは、第１レンズ保持枠３１の周方向に沿って略等間隔に配設されている。
【００４９】
メインカムフォロア保持部７ａは、この実施形態では、図３の左下方側に配設されており、円筒状のものからなり、内部に保持枠用カムフォロア４の基端部を第１レンズ保持枠３１（カム筒２）の径方向に移動可能に収納したメインカムフォロア収納部７１ａと、メインカムフォロア収納部７１ａに収納された保持枠用カムフォロア４を付勢した付勢部材としてのコイルバネ７１ｂとを備えている。
【００５０】
コイルバネ７１ｂは、メインカムフォロア収納部７１ａに保持枠用カムフォロア４の基端部と共に収納され、保持枠用カムフォロア４を第１レンズ保持枠３１の径方向外側に付勢している。
【００５１】
サブカムフォロア保持部７ｂは、メインカムフォロア保持部７ａと同様に、円筒状のものからなり、内部に保持枠用カムフォロア４の基端部を収納したサブカムフォロア収納部７２ａを備えている。
【００５２】
ただし、このサブカムフォロア収納部７２ａは、保持枠用カムフォロア４の基端部のみを収納し、メインカムフォロア収納部７１ａのようにコイルバネ７１ｂは収納されていない。従って、このサブカムフォロア収納部７２ａに収納された保持枠用カムフォロア４は、第１レンズ保持枠３１の径方向外側に付勢されていない。
【００５３】
ここで、メインカムフォロア保持部７ａ、サブカムフォロア保持部７ｂのそれぞれに保持された保持枠用カムフォロア４について説明する。保持枠用カムフォロア４は、第１レンズ保持枠３１に係合された３個と、第２レンズ保持枠３２に係合された３個との合計６個を備えている。
【００５４】
これらは、全部、同一構成を採っており、各保持枠用カムフォロア４は、略円柱状を呈しており、図３〜図５に示すように、先端部に、保持枠用カム溝２１、２２に係合するカム溝係合部４１を備えている。カム溝係合部４１は、先端に行くに従い漸次径小になる円錐台状に形成されている。
【００５５】
又、各保持枠用カムフォロア４は、基端に、嵌挿部４２を備えている。そして、この嵌挿部４２が、サブカムフォロア保持部７ｂに設けられた嵌挿孔７３に、サブカムフォロア収納部７２ａ側から嵌挿されることにより、サブカムフォロア保持部７ｂに保持枠用カムフォロア４が保持されている。
【００５６】
又、同様に、保持枠用カムフォロア４の嵌挿部４２が、メインカムフォロア保持部７ａに設けられた嵌挿孔７３に、メインカムフォロア収納部７１ａ側から嵌挿されることにより、メインカムフォロア保持部７ａに保持枠用カムフォロア４が保持されている。又、この状態で、保持枠用カムフォロア４は、メインカムフォロア保持部７ａに第１レンズ保持枠３１の径方向に移動可能とされている。
【００５７】
又、メインカムフォロア保持部７ａに保持された保持枠用カムフォロア４は、メインカムフォロア収納部７１ａに収納されたコイルバネ７１ｂによって第１レンズ保持枠３１の径方向外側に付勢されている。
【００５８】
図８に戻って、第１レンズ保持枠３１の説明を続ける。第１レンズ保持枠３１は、外周部にガイド軸１２ａ、１２ｂに支持される被支持部３１ａ、３１ｂを備えている。この実施形態の被支持部は、第２ガイド軸１２ａに支持されたメイン被支持部３１ａ（図８の下方側に表れているもの）と、第１ガイド軸１２ｂに支持されたサブ被支持部３１ｂ（図８の上方側に表れているもの）とを備えている。
【００５９】
メイン被支持部３１ａは、この実施形態では、第１レンズ保持枠３１に設けられた円板部３１ｃの前面から後方側に所定の長さで、円板部３１ｃの径方向外側部に筒状に突出するように形成されており、第２ガイド軸１２ｂが嵌挿するガイド軸嵌挿孔３１ｄを備えている。
【００６０】
又、このメイン被支持部３１ａは、図３に示すように、メインカムフォロア保持部７ａとサブカムフォロア保持部７ｂとの間におけるメインカムフォロア保持部７ａの近傍に配設されており、メインカムフォロア保持部７ａとの周方向のピッチ距離Ｌ２１が隣接するサブカムフォロア保持部７ｂとの周方向のピッチ距離Ｌ２２よりも短くなる位置とされている。
【００６１】
サブ被支持部３１ｂは、図８、図９に示すように第１ガイド軸１２ａが挿通するガイド軸嵌挿孔３１ｅを備えている。このガイド軸嵌挿孔３１ｅは、円板部３１ｃの前面から後面に貫通されるように形成されている。従って、このサブ被支持部３１ｂの軸方向の長さＬ３２（図９（ａ）に図示）は、メイン被支持部３１ａの軸方向の長さＬ３１（図８に図示）よりも短い。
【００６２】
又、この実施形態のガイド軸嵌挿孔３１ｅは、円板部３１ｃの周方向に対する距離が第１ガイド軸１２ａの直径と略同じで、円板部３１ｃの径方向に対する長さが第１ガイド軸１２ａの直径よりも長い長穴状に形成されている。
【００６３】
又、第１レンズ保持枠３１は、メインカムフォロア保持部７ａ及びサブカムフォロア保持部７ｂの後部側に、第２レンズ保持枠３２と当接する第１レンズ保持枠用当接部３１ｈを備えている。
【００６４】
又、第１レンズ保持枠３１は、外周部に、遮光部材５と連結するための連結溝３１ｉと、後述の遮光部材５の一部である連結部支持片５４を受容する受容部３１ｊとを備えている。
【００６５】
連結溝３１ｉは、第１レンズ保持枠３１の周方向に等間隔で配設された３つを備えている。この実施形態では、連結溝３１ｉは、メインカムフォロア保持部７ａ、サブカムフォロア保持部７ｂそれぞれの前方側に配設され、所定の幅で外周面から所定の深さで第１レンズ保持枠３１の径方向内側に凹まされるようにして形成されている。
【００６６】
受容部３１ｊは、連結溝３１ｉと同幅で、円板部３１ｃの前面から所定の深さで後方側に凹まされるようにして連結溝３１ｉそれぞれと連通するように形成されている。
【００６７】
このように構成された第１レンズ保持枠３１は、保持枠用カムフォロア４を保持した状態で、図１０に示すようにサブ被支持部３１ｂのガイド軸嵌挿孔３１ｄに第１ガイド軸１２ａが挿通されるとともに、メイン被支持部３１ａのガイド軸嵌挿孔３１ｅに第２ガイド軸１２ｂが挿通されるようにして第２ガイド軸１２ｂと第１ガイド軸１２ａとに支持されて、図１に示すようにカム筒２の内周側に軸方向に移動可能に配設されている。又、その状態で、保持枠用カムフォロア４がそれぞれ、第１保持枠用カム溝２１のそれぞれに入り込んでいる。
【００６８】
又、この状態で、図３に示すように、メインカムフォロア保持部７ａに保持された保持枠用カムフォロア４は、コイルバネ７１ｂの付勢力によって、カム溝係合部４１が第１保持枠用カム溝２１の内側面に押し当てられた状態になっている。一方、サブカムフォロア保持部７ｂに保持された保持枠用カムフォロア４は、カム溝係合部４１が第１保持枠用カム溝２１の内側面に非当接状態になって、カム溝係合部４１と第１保持枠用カム溝２１の内側面との間にクリアランスができている。
【００６９】
次に、第２レンズ保持枠３２について説明する。第２レンズ保持枠３２は、図１１に示すように、内周側にレンズ群を保持するレンズ保持部３２ｆを備えている。又、第２レンズ保持枠３２は、第１レンズ保持枠３１と同様に、その外周側に、保持枠用カムフォロアを保持するカムフォロア保持部８ａ、８ｂを備えている。
【００７０】
第２レンズ保持枠３２のカムフォロア保持部は、１つのメインカムフォロア保持部８ａ（図４の上部側に表れている）と、メインカムフォロア保持部８ａと異なる角度位相位置、即ちメインカムフォロア保持部８ａと周方向に距離を隔てた位置に配設された２つのサブカムフォロア保持部（第１サブカムフォロア保持部）８ｂとを備えている。この実施形態では、図４、図８に示すように１つのメインカムフォロア保持部８ａと２つのサブカムフォロア保持部８ｂとは、第２レンズ保持枠３２の周方向に沿って略等間隔に配設されている。
【００７１】
これらのメインカムフォロア保持部８ａ及びサブカムフォロア保持部８ｂは、第１レンズ保持枠３１のメインカムフォロア保持部７ａ、サブカムフォロア保持部７ｂのそれぞれと略同構成を採っている。
【００７２】
詳しくは、メインカムフォロア保持部８ａは、図４に示すように内部に保持枠用カムフォロア４の基端部を第２レンズ保持枠３２の径方向に移動可能に収納したメインカムフォロア収納部８１ａと、コイルバネ８１ｂとを備えている。
【００７３】
サブカムフォロア保持部８ｂは、内部に保持枠用カムフォロア４の基端部だけを収納したサブカムフォロア収納部８２を備えている。
【００７４】
そして、これらのメインカムフォロア保持部８ａ及びサブカムフォロア保持部８ｂに、保持枠用カムフォロア４が、第１レンズ保持枠３１のカムフォロア保持部７ａ、７ｂと同様にして保持されている。
【００７５】
又、第２レンズ保持枠３２は、外周部におけるメインカムフォロア保持部８ａとサブカムフォロア保持部８ｂとの間に、ガイド軸１２ａ、１２ｂに支持される被支持部３２ａ、３２ｂを備えている。この第２レンズ保持枠３２における被支持部は、第１ガイド軸１２ａに支持されたメイン被支持部３２ａと、第２ガイド軸１２ｂに支持されたサブ被支持部３２ｂとを備えている。
【００７６】
メイン被支持部３２ａは、図１１に示すように第２レンズ保持枠３２の径方向外側部に、第２レンズ保持枠３２の前面から前方側に所定の長さで突出した突出部を有する筒状に形成されており、第１ガイド軸１２ａが嵌挿するガイド軸嵌挿孔３２ｄを備えている。
【００７７】
又、このメイン被支持部３２ａは、図４に示すようにメインカムフォロア保持部８ａとの周方向のピッチ距離Ｌ４１が隣接するサブカムフォロア保持部８ｂとの周方向のピッチ距離Ｌ４２よりも短くなる位置とされ、メインカムフォロア保持部８ａの近傍に配設されている。
【００７８】
サブ被支持部３２ｂは、図１１に示すように、第２ガイド軸１２ｂが挿通するガイド軸嵌挿孔３２ｅを有する筒体から構成されている。このサブ被支持部３２ｂの軸方向の長さＬ３４は、メイン被支持部４１ａの軸方向の長さＬ３３よりも短く形成されている。
【００７９】
又、この実施形態のガイド軸嵌挿孔３２ｅは、図示しないが、第２レンズ保持枠３２の周方向の距離が第２ガイド軸１２ｂの直径と略同じで、第２レンズ保持枠３２の径方向の長さが第２ガイド軸１２ｂの直径よりも長い長穴状に形成されている。
【００８０】
又、第２レンズ保持枠３２は、図１１〜図１３に示すようにメインカムフォロア保持部８ａ及びサブカムフォロア保持部８ｂの前部側に、第１レンズ保持枠３１の第１レンズ保持枠用当接部３１ｈと当接する第２レンズ保持枠用当接部３２ｈを備えている。
【００８１】
これらの第２レンズ保持枠用当接部３２ｈは、第１レンズ保持枠用当接部３１ｈに当接した状態で、図１３に示すように第２レンズ保持枠３２と第１レンズ保持枠３１との夫々に保持された保持枠用カムフォロア同士のピッチ距離Ｌ５１が、カム筒２における第１保持枠用カム溝２１の第１カム溝用導入溝２１ｂと第２保持枠用カム溝２２の第２カム溝用導入溝２２ｂとのピッチ距離Ｌ５２（図７に示す）とが同じになるように設定されている。
【００８２】
そして、図４に示すように第１レンズ保持枠３１と同様に、メインカムフォロア保持部８ａに設けられた嵌挿孔８３に、保持枠用カムフォロア４の嵌挿部４２が嵌挿されることにより、保持枠用カムフォロア４がメインカムフォロア保持部８ａに第２レンズ保持枠３２の径方向に移動可能に保持されているとともに、コイルバネ８１ｂによって第２レンズ保持枠３２の径方向外側に付勢されている。
【００８３】
又、サブカムフォロア保持部８ｂに設けられた嵌挿孔８３に保持枠用カムフォロア４の嵌挿部４２が嵌挿されることにより、サブカムフォロア保持部７ｂに保持枠用カムフォロア４が保持されている。
【００８４】
そして、保持枠用カムフォロア４を保持した第２レンズ保持枠３２は、図１、図４に示すようにメイン被支持部３２ａのガイド軸嵌挿孔３２ｄに第１ガイド軸１２ａが挿通されるとともに、サブ被支持部３２ｂのガイド軸嵌挿孔３２ｅに第２ガイド軸１２ｂが挿通されるようにして第１ガイド軸１２ａと第２ガイド軸１２ｂとに支持されて、図１に示すようにカム筒２の内周側であって第１レンズ保持枠３１の後方側に軸方向に移動可能に配設されている。
【００８５】
又、その状態で、第２レンズ保持枠３２に保持された保持枠用カムフォロア４は、それぞれ、第２保持枠用カム溝２２に入り込んでいる。
【００８６】
又、この状態で、メインカムフォロア保持部８ａに保持された保持枠用カムフォロア４は、コイルバネ８１ｂの付勢力によって、カム溝係合部４１が第２保持枠用カム溝２２の内側面に押し当てられた状態になっている。一方、サブカムフォロア保持部８ｂに保持された保持枠用カムフォロア４は、カム溝係合部４１が第２保持枠用カム溝２２の内側面に非当接状態になって、カム溝係合部４１と第２保持枠用カム溝２２の内側面との間にクリアランスが形成されている。
【００８７】
又、図５に示すように、第２レンズ保持枠３２のメインカムフォロア保持部８ａは、第１レンズ保持枠３１のサブカムフォロア保持部７ｂと光軸方向に並び、それらに保持された保持枠用カムフォロア４が光軸方向に並んでいる。又、第１レンズ保持枠３１のメインカムフォロア保持部７ａは、第２レンズ保持枠３２のサブカムフォロア保持部８ｂと光軸方向に並び、それらに保持された保持枠用カムフォロア４が光軸方向に並んでいる。
【００８８】
次に、第３レンズ保持枠３３について説明する。この第３レンズ保持枠３３は、第２レンズ保持枠３２に固定的に設けられた２つのフォーカス用ガイド軸３３ａ（図２に図示）に軸方向移動可能に支持されるようにして、図１に示すように第２レンズ保持枠３２の前方側に配設されている。
【００８９】
そして、この第３レンズ保持枠３３は、鏡筒本体１に設けられた駆動用モータ３３ｂ（図２に図示）によって第２レンズ保持枠３２に対して前後方向に移動するようになっている。
【００９０】
次に、第４レンズ保持枠３４〜第７レンズ保持枠３７について説明する。第４レンズ保持枠３４は、図１に示すように鏡筒本体１内における第１レンズ保持枠３１の前方側に、移動不能に配設されている。
【００９１】
第５レンズ保持枠３５〜第７レンズ保持枠３７は、鏡筒本体１内における第２レンズ保持枠３１の後方側に、順次並べられるようにして移動不能に配設されている。
【００９２】
次に、遮光部材５について説明する。この実施形態の遮光部材５は、図１４に示すように遮光部材本体５１と、連結部５５ａ〜５５ｃとを備えている。
【００９３】
遮光部材本体５１は、前端側に配設された円板部５２と、円板部５２の後方側に配設された円筒部５３と、連結部５５ａ〜５５ｃを支持した連結部支持片５４とを備えている。
【００９４】
円板部５２は、その外径が第１レンズ保持枠３１に保持されたレンズ群１００の外径と略同じ大きさに形成されている。そして、この円板部５２は、図１、図５に示すように第１レンズ保持枠３１に保持されたレンズ群１００の前方側に配設されている。
【００９５】
円筒部５３は、内周側に、第１レンズ保持枠３１に保持されたレンズ群１００の前部側が入ることができる程度の大きさに形成されている。
【００９６】
連結部支持片５４は、円筒部５３の周方向に、等間隔に配設された３つを備えている。各連結部支持片５４は、第１レンズ保持枠３１の受容部３１ｊに入り込み可能な幅で、円筒部５３の後端から径方向外側に突出するように形成されている。
【００９７】
連結部は、連結部支持片５４のそれぞれに支持された第１〜第３連結部５５ａ〜５５ｃの３つ（複数）を備えている。各連結部５５ａ〜５５ｃは、矩形板状のものから構成されており、連結部支持片５４の先端から後方側に突設されている。
【００９８】
そして、これらの連結部５５ａ〜５５ｃは、第１レンズ保持枠３１の連結溝３１ｉのそれぞれに、移動可能に嵌挿される。又、これらの３つの内の１つの連結部５５ａと連結溝３１ｉとの嵌挿状態の両者間のクリアランスが、他の２つの連結部５５ｂ、５５ｃと連結溝３１ｉとの嵌挿状態の両者間のクリアランスよりも小さくなるように形成されている。
【００９９】
この実施形態では、３つの連結溝３１ｉは、全て同じ幅Ｌ１０（図８に図示）に形成されている。一方、図１４の上部側の第１連結部５５ａの幅Ｌ９が他の２つの第２連結部５５ｂ及び第３連結部５５ｃの幅Ｌ８よりもやや大きく形成されており、第１連結部５５ａと連結溝３１ｉとの嵌挿状態の両者間のクリアランスが、第２連結部５５ｂと連結溝３１ｉとの嵌挿状態の両者間のクリアランス及び第３連結部５５ｃと連結溝３１ｉとの嵌挿状態の両者間のクリアランスよりも小さくなるように設定されている。
【０１００】
このように構成されることにより、第１連結部５５ａと連結溝３１ｉとによって、確実に、遮光部材５が第１レンズ保持枠３１に対して回転することなく軸方向に移動できる一方、第２連結部５５ｂ及び第３連結部５５ｃと連結溝３１ｉのそれぞれとによって、連結部５５ａ〜５５ｃの全体と連結溝３１ｉとが製作誤差等によって過拘束になるのを抑えることができる。これにより、連結部５５ａ〜５５ｃの全体を連結溝３１ｉに容易に嵌挿して組み付けできるとともに、組み付け後、遮光部材５が第１レンズ保持枠３１に対して円滑に移動できる。
【０１０１】
又、この実施形態では、遮光部材本体５１と連結部５５ａ〜５５ｃとは、合成樹脂により一体成形により同時に形成されている。
【０１０２】
遮光部材用カムフォロア６は、連結部５５ａ〜５５ｃのそれぞれの外面に配設されており、各遮光部材用カムフォロア６は、連結部５５ａ〜５５ｃの外面から径方向外側に突出するように形成されている。
【０１０３】
又、各遮光部材用カムフォロア６は、カム筒２の遮光部材用カム溝２３に入り込んで係合し得るように、径方向外側に行くに従い漸次径小になる略円錐状に形成されている。この実施形態では、遮光部材用カムフォロア６は、遮光部材５と一体成形により同時に形成されている。尚、この実施形態では、各遮光部材用カムフォロア６は、製作し易いように円錐の一部をカットした形状に形成されている。
【０１０４】
次に、以上のように構成されたカム筒２のカム溝に、第１レンズ保持枠３１、第２レンズ保持枠３２及び遮光部材を係合させる場合について説明する。
【０１０５】
まず、図７に示すように、遮光部材５に付設された遮光部材用カムフォロア６を、カム筒２の組み込み用溝２４に開口２４ｃから入れていく。これにより、遮光部材用カムフォロア６は、保持枠用組み込み溝２４ａから遮光部材用組み込み溝２４ｂに入り、更に遮光部材用組み込み溝２４ｂの前端位置（ハッチングで遮光部材用カムフォロア６を示す位置）まで入る。
【０１０６】
次に、第１レンズ保持枠３１のメイン被支持部３１ａに第２ガイド軸１２ｂを、サブ被支持部３１ｂに第１ガイド軸１２ａをそれぞれ挿通させながら、第１レンズ保持枠３１に保持された保持枠用カムフォロア（第１保持枠用カムフォロア）４を、カム筒２の組み込み用溝２４に開口２４ｃから入れていく。
【０１０７】
これにより、保持枠用カムフォロア４は、保持枠用組み込み溝２４ａを前方に向かって入っていき、又、それに伴い第１レンズ保持枠３１の連結溝３１ｉに遮光部材５の連結部５５ａ〜５５ｃが入り込んで両者が連結する。
【０１０８】
そして、図７に示すように保持枠用カムフォロア４が保持枠用組み込み溝２４ａの前端位置（保持枠用カムフォロア４をハッチングで示す位置）までくると、保持枠用カムフォロア４が遮光部材用組み込み溝２４ｂの溝幅よりも径大に形成されているため、保持枠用カムフォロア４は保持枠用組み込み溝２４ａのその前端位置で止まる。
【０１０９】
次に、第２レンズ保持枠３２のメイン被支持部３２ａに第１ガイド軸１２ａを、サブ被支持部３２ｂに第２ガイド軸１２ｂをそれぞれ挿通させながら、第２レンズ保持枠３２に保持された保持枠用カムフォロア（第２保持枠用カムフォロア）４を、カム筒２の組み込み用溝２４に開口２４ｃから入れていく。この状態で、図１２に示すように第２レンズ保持枠３２の第２レンズ保持枠用当接部３２ｈと第１レンズ保持枠３１の第１レンズ保持枠用当接部３１ｈとが対向する。
【０１１０】
そして、保持枠用カムフォロア４が保持枠用組み込み溝２４ａに入っていくと、図１３に示すように第２レンズ保持枠３２の第２レンズ保持枠用当接部３２ｈと第１レンズ保持枠３１の第１レンズ保持枠用当接部３１ｈとが当接する。
【０１１１】
この当接状態で、第２レンズ保持枠３２に保持された保持枠用カムフォロア４は、図７に示すように第２保持枠用カム溝２２の第２カム溝用導入溝２２ｂと前後位置が一致した位置（保持枠用カムフォロア４をハッチングで示す位置）にくる。
【０１１２】
従って、この状態で、遮光部材用カムフォロア６、第１レンズ保持枠３１に保持された保持枠用カムフォロア４、第２レンズ保持枠３２に保持された保持枠用カムフォロア４はそれぞれ、遮光部材用導入溝２３ｂ、第１カム溝用導入溝２１ｂ、第２カム溝用導入溝２２ｂの夫々と周方向に対向した状態になる。
【０１１３】
そして、この状態から、カム筒２を回転させる。これにより、遮光部材用カムフォロア６、第１レンズ保持枠３１に保持された保持枠用カムフォロア４、第２レンズ保持枠３２に保持された保持枠用カムフォロア４はそれぞれ、遮光部材用導入溝２３ｂ、第１カム溝用導入溝２１ｂ、第２カム溝用導入溝２２ｂのそれぞれに入り込ませることができる。
【０１１４】
その際、メインカムフォロア保持部７ａ、８ａに保持された保持枠用カムフォロア４は、コイルバネ７１ｂ、８１ｂの付勢力によって、カム溝係合部４１が第１保持枠用カム溝２１、第２保持枠用カム溝２２の内側面に当接した状態になり、一方、サブカムフォロア保持部７ｂ、８ｂに保持された保持枠用カムフォロア４は、カム溝係合部４１が第１保持枠用カム溝２１、第２保持枠用カム溝２２の内側面に非当接状態になっている。従って、メインカムフォロア保持部７ａ、８ａに保持された保持枠用カムフォロア４は、それぞれ、容易に第２カム溝用導入溝２２ｂに導入される。
【０１１５】
又、第２カム溝用導入溝２２ｂが、幅広部２２ｃを備えているため、第２レンズ保持枠３２に保持された保持枠用カムフォロア４は第２カム溝用導入溝２２ｂと前後位置が多少ずれている場合でも確実に第２カム溝用導入溝２２ｂに導入される。
【０１１６】
更に、カム筒２が回転すると、遮光部材用カムフォロア６、第１レンズ保持枠３１に保持された保持枠用カムフォロア４、第２レンズ保持枠３２に保持された保持枠用カムフォロア４は導入溝２３ｂ、２１ｂ、２２ｂのそれぞれから遮光部材用撮影領域溝２３ａ、第１カム溝用撮影領域溝２１ａ、第２カム溝用撮影領域溝２２ａに入り込ませて係合させることができる（図１５参照）。
【０１１７】
この場合においても、第２カム溝用導入溝２２ｂが、テーパー部２２ｄとを備えているため、第２レンズ保持枠３２に保持された保持枠用カムフォロア４を、幅広部２２ｃから第２カム溝用撮影領域溝２２ａに円滑に入れることができる。
【０１１８】
次に、本発明のレンズ鏡筒１０の動作について説明する。例えば図１５に示す状態から、カム操作環１５が回転操作されると、カム筒２が回転する。その回転に伴い、遮光部材用カムフォロア６、第１レンズ保持枠３１に保持された保持枠用カムフォロア４、第２レンズ保持枠３２に保持された保持枠用カムフォロア４はそれぞれ、遮光部材用撮影領域溝２３ａ、第１カム溝用撮影領域溝２１ａ、第２カム溝用撮影領域溝２２ａのそれぞれに沿って前方側に相対移動する。
【０１１９】
その際、メインカムフォロア保持部７ａ、８ａに保持された保持枠用カムフォロア４のカム溝係合部４１が第１保持枠用カム溝２１、第２保持枠用カム溝２２の内側面に押し当てられた状態になる一方、サブカムフォロア保持部７ｂ、８ｂに保持された保持枠用カムフォロア４のカム溝係合部４１が第１保持枠用カム溝２１、第２保持枠用カム溝２２の内側面に非当接状態になっており、円滑に相対移動する。
【０１２０】
そして、相対移動に際して、遮光部材５、第１レンズ保持枠３１及び第２レンズ保持枠３２のそれぞれが、図１６に示すように前方側に移動する。又、その際、遮光部材用撮影領域溝２３ａと第１カム溝用撮影領域溝２１ａとの軸方向の距離に応じ、遮光部材５が遮光部材用撮影領域溝２３ａの中間部位置で第１レンズ保持枠３１との軸方向の距離Ｌ１１が最大になり、端部位置（テレ位置、ワイド位置）に行くに従い両者の軸方向の距離Ｌ１２、Ｌ１３が漸次小さくなるように形成されている。
【０１２１】
より詳しくは、図１７に示すように遮光部材５の移動軌跡５ｐは、第１レンズ保持枠３１の移動軌跡３１ｐに対し、テレ位置から互いの距離が漸次大きくなり、中間位置で互いの距離Ｌ１１がテレ位置での互いの距離Ｌ１３よりも大きくなる。又、その中間位置からワイド位置にかけて互いの距離が漸次小さくなってワイド位置で互いの距離Ｌ１２は中間位置での距離Ｌ１１より小さくなる。尚、この実施形態の第２レンズ保持枠３２は、図１７に示すように第１レンズ保持枠３１の移動軌跡３１ｐと異なる移動軌跡３２ｐを描きながら移動する。
【０１２２】
よって、遮光部材５が遮光部材用撮影領域溝２３ａの中間部で、第１レンズ保持枠３１に保持されたレンズ群１００に入る余分な光を遮る。これにより、第１レンズ保持枠３１に保持されたレンズ群１００の動き（位置）に応じてフレアーを除去して鮮明な結像を得ることができる。
【０１２３】
又、その際、第１連結部５５ａと連結溝３１ｉとによって、確実に、遮光部材５が第１レンズ保持枠３１に対して回転することなく軸方向に円滑に移動できる一方、第２連結部５５ｂ及び第３連結部５５ｃと連結溝３１ｉのそれぞれとによって、連結部５５ａ〜５５ｃの全体と連結溝３１ｉとが製作誤差等によって過拘束になることなく、遮光部材５が第１レンズ保持枠３１に対して円滑に移動できる。
【０１２４】
更に、カム操作環１５が回転操作されてカム筒２が回転すると、その回転に伴い、更に、遮光部材用カムフォロア６、第１レンズ保持枠３１に保持された保持枠用カムフォロア４、第２レンズ保持枠３２に保持された保持枠用カムフォロア４はそれぞれ、遮光部材用撮影領域溝２３ａ、第１カム溝用撮影領域溝２１ａ、第２カム溝用撮影領域溝２２ａのそれぞれに沿って、前方側に相対移動する。
【０１２５】
そして、相対移動に際して、遮光部材５、第１レンズ保持枠３１及び第２レンズ保持枠３２のそれぞれが前方側に移動して、図１に示す状態になる。
【０１２６】
尚、上記実施形態では、メインカムフォロア保持部に保持された保持枠用カムフォロアが入る保持枠用カム溝と、サブカムフォロア保持部に保持された保持枠用カムフォロアが入る保持枠用カム溝とは、同一の溝幅から構成されているが、この形態のものに限らず、適宜変更できる。例えば図１８に示すようにサブカムフォロア保持部に保持された保持枠用カムフォロア４が入る保持枠用カム溝１２１、１２１ａを、メインカムフォロア保持部に保持された保持枠用カムフォロアが入る保持枠用カム溝２２、２２ａよりも溝幅を広くし或いは溝幅を広くするとともに溝深さを深く形成するようにしてもよい（この図１８では溝幅を広くするとともに溝深さを深くしたものを例示している）。
【０１２７】
又、上記実施形態では、メインカムフォロア保持部に保持された保持枠用カムフォロアがコイルバネによって径方向外側に付勢しているが、この形態のものに限らず、適宜変更できる。例えばメインカムフォロア保持部に保持された保持枠用カムフォロアを、コイルバネによって軸方向の一方側に付勢して保持枠用カムフォロアのカム溝係合部を保持枠用カム溝における軸方向の一方側の内側面に押し付けるようにしてもよい。
【０１２８】
又、上記実施形態では、サブカムフォロア保持部は、メインカムフォロア保持部と異なる角度位相位置に配設された第１サブカムフォロア保持部のみを備えたものとされているが、この形態のものに限らず、適宜変更できる。例えば図１９に示すように、第１サブカムフォロア保持部に加えて、メインカムフォロア保持部と同じ角度位相位置、即ち、レンズ保持枠３１の軸方向に並べられるように配設された１又は複数の第２サブカムフォロア保持部１７２を備えたものでもよい（図１９では、第２サブカムフォロア保持部１７２を１つ、配設したものを例示）。
【符号の説明】
【０１２９】
１    鏡筒本体
２    カム筒
４    保持枠用カムフォロア
５    遮光部材
６    遮光部材用カムフォロア
７ａ、８ａ    メインカムフォロア保持部
７ｂ、８ｂ    サブカムフォロア保持部
１１    固定筒
１２ａ    第１ガイド軸
１２ｂ    第２ガイド軸
２１    第１保持枠用カム溝
２１ａ    第１カム溝用撮影領域溝
２１ｂ    第１カム溝用導入溝
２２    第２保持枠用カム溝
２２ａ    第２カム溝用撮影領域溝
２２ｂ    第２カム溝用導入溝
２３    遮光部材用カム溝
２４    組み込み用溝
３１    第１レンズ保持枠
３２    第２レンズ保持枠
【図２】
2014048450.tif 000003
【図３】
2014048450.tif 000004
【図４】
2014048450.tif 000005
【図５】
2014048450.tif 000006
【図６】
2014048450.tif 000007
【図７】
2014048450.tif 000008
【図８】
2014048450.tif 000009
【図９】
2014048450.tif 000010
【図１０】
2014048450.tif 000011
【図１１】
2014048450.tif 000012
【図１２】
2014048450.tif 000013
【図１３】
2014048450.tif 000014
【図１４】
2014048450.tif 000015
【図１７】
2014048450.tif 000016
【図１８】
2014048450.tif 000017
【図１９】
2014048450.tif 000018
【図１】
2014048450.tif 000019
【図１５】
2014048450.tif 000020
【図１６】
2014048450.tif 000021